(57)【要約】【課題】羽根車に設けた光源を羽根車の回転中に発光させることができ、しかも、光源への給電を寿命長く行うことができる給電機構を備えた光触媒電動ファン装置を提供する。【解決手段】発電用の磁界を形成する磁石７が備えられると共に、羽根車１に発電用のコイル９と光源６が設けられ、羽根車１が回転することによりコイル９が磁石７による磁界を動いて発電し、その電気で光源６が点灯するようになされており、かつ、羽根車１の羽根４に光触媒物質５が設けられると共に、光源６が光触媒物質５による防汚機能の奏される部位に設けられ、光触媒物質５で羽根４が防汚されるようになされている。【選択図】      図１
2004215342.tif 000002
【特許請求の範囲】
【請求項１】
発電用の磁界を形成する磁石が備えられると共に、回転体に発電用のコイルと光源が設けられ、回転体が回転することによりコイルが前記磁石による磁界を動いて発電し、その電気で前記光源が点灯するようになされていることを特徴とする回転体に設けられた光源への給電機構。
【請求項２】
発電用の磁界を形成する磁石が備えられると共に、羽根車に発電用のコイルと光源が設けられ、羽根車が回転することによりコイルが前記磁石による磁界を動いて発電し、その電気で前記光源が点灯するようになされており、かつ、
前記羽根車の羽根に光触媒物質が設けられると共に、前記光源が該光触媒物質による防汚機能の奏される部位に設けられ、該光触媒物質で羽根が防汚されるようになされていることを特徴とする電動送風ファン装置。
【請求項３】
調理場の換気扇である請求項２に記載の電動送風ファン装置。
【請求項４】
羽根車が透光性材料からなり、光源が羽根車の回転中心側に設けられ、光源の光が羽根の肉内を通じて先端側に送られるようになされている請求項２又は３に記載の電動送風ファン装置。
【発明の詳細な説明】
【０００１】
【発明の属する技術分野】
本発明は、回転体に設けられた光源への給電機構及びファン装置に関する。
【０００２】
【従来の技術及び課題】
回転体に設けた光源を回転体の回転中に発光させる方法として、電気を回転体支持側から電気ブラシで回転体に送り、その電気で光源を発光させる方法がある。しかしながら、この方法では、電気ブラシが摩耗などにより接触が断たれると、回転体の側への給電がなされなくなってしまうという問題がある。
【０００３】
本発明は、かかる問題点に鑑み、回転体に設けた光源を回転体の回転中に発光させることができ、しかも、光源への給電を寿命長く行うことができる、回転体に設けられた光源への給電機構及びファン装置を提供することを課題の一つとする。
【０００４】
【課題を解決するための手段】
上記の課題は、発電用の磁界を形成する磁石が備えられると共に、回転体に発電用のコイルと光源が設けられ、回転体が回転することによりコイルが前記磁石による磁界を動いて発電し、その電気で前記光源が点灯するようになされていることを特徴とする回転体に設けられた光源への給電機構によって解決される。
【０００５】
この給電機構では、回転体が回転すると、回転体に設けられたコイルに、電磁誘導によって電流が流れ、その電気で光源が点灯するというものであるため、回転体と回転支持部との間に光源への通電のための接触がなく、そのため、回転体に設けた光源を回転体の回転中に発光させることができ、しかも、光源への給電を寿命長く行うことができる。
【０００６】
本発明は、この給電機構を用いた次のような電動送風ファン装置を含む。即ち、発電用の磁界を形成する磁石が備えられると共に、羽根車に発電用のコイルと光源が設けられ、羽根車が回転することによりコイルが前記磁石による磁界を動いて発電し、その電気で前記光源が点灯するようになされており、かつ、
前記羽根車の羽根に光触媒物質が設けられると共に、前記光源が該光触媒物質による防汚機能の奏される部位に設けられ、該光触媒物質で羽根が防汚されるようになされていることを特徴とする電動送風ファン装置である。
【０００７】
この電動送風ファン装置では、ファン装置の羽根車が電動によって安定良く回転するから、羽根車に設けられた光源を安定良く発光させることができる。この安定した発光によって光触媒物質に羽根車の防汚作用を効果的に行わせることができる。
【０００８】
しかも、光源は、光触媒物質の設けられた羽根車に設けられていて、光触媒物質も光源も羽根車と一体回転するようになされているから、羽根車が立体形状のもので回転するものでありながら、少ない光量で光源からの光を羽根車の光触媒物質に効果的に当てることができて、光触媒物質に効果的に防汚作用を行わせることができる。
【０００９】
加えて、ファンの駆動による羽根車の回転に伴う上記のような電磁誘導によって作り出される電気で羽根車の光源を発光させ、その発光で光触媒作用が行われるようになされているので、ファンの駆動と光源の点灯とを連動させる電気的な切り換え機構を備えさせる必要がなく、光触媒作用を簡素な機構で適時に行わせることができる。
【００１０】
この電動送風ファン装置は、汚れが特に付きやすい、調理場の換気扇である場合は、羽根車に付着した油分等の汚れを効果的に分解除去することができる。
【００１１】
上記の電動送風ファン装置において、羽根車が透光性材料からなり、光源が羽根車の回転中心側に設けられ、光源の光が羽根の肉内を通じて先端側に送られるようになされている場合は、羽根車の回転中心側にわずかな光源設置スペースを確保しそこに光源を設けるだけで光を広く行きわたらせることができ、羽根車を光触媒作用で効果的に防汚することができる。しかも、羽根車の回転中心側であるのでそこは汚れにくく、光源が汚れで隠れてしまうというようなこともない。
【００１２】
【発明の実施の形態】
次に、本発明の実施形態を図面に基づいて説明する。
【００１３】
図１及び図２に示す実施形態は、調理場用の換気扇に適用した場合のもので、１は回転体としての羽根車、２は電動モーターで、羽根車１は、芯体部３に３枚の羽根４…を付けたものからなっていて、アクリル樹脂などの透光性材料でつくられ、各羽根４…の先端側を含む表面部には、酸化チタン等の光触媒物質５が塗布などによって設けられている。なお、光触媒物質５は羽根車１の表面部全体に設けられていてもよいし、羽根４…の表面部全体に設けられていてもよいし、羽根４…の外周側半部の表面部全体に設けられていてもよいし、防汚しようとする領域に応じて適宜決められてよい。
【００１４】
そして、各羽根４の付け根部分には、発光ダイオードなどによる光源６…が設けられ、光源６…からの光が、各羽根４…の肉内を通じて先端側に送られるようになされている。アクリル樹脂などの透光性樹脂による羽根車１では、光源６…からの光を羽根４の肉内を通じて先端側に送るようにすることで、光が羽根４…の先端側に集中してこの先端側を特に明るくすることができ、それによって、羽根４…の先端側に遠心力で集中する汚れを光触媒作用によって効果的に分解除去することができる。
【００１５】
そして、上記の光源６…に電気を送るため、本実施形態では、次のような給電機構を採用している。即ち、図２に示すように、固定側である電動モーター２の側、即ち、回転体支持部の側には磁石７…が設けられると共に、羽根車１の芯体部３にはコイル９が設けられ、これら磁石７とコイル９とを対面させるようにし、羽根車１が回転してコイル９が磁石７による磁界を動くようにすることで電磁誘導により発電を起こし、コイル９に電流が流れるようになされている。このコイル９に光源６が接続され、光源６…はその電気で点灯するようになされている。なお、本実施形態では、羽根車１の側にも磁石８が備えられ、回転支持部側の磁石７との組合せで電磁誘導による発電が効果的に行われるようにされている。
【００１６】
上記の換気扇では、羽根車１が回転すると、羽根車１に設けられたコイル９に、電磁誘導によって電流が流れ、その電気で光源６が点灯するため、羽根車１と回転支持部との間に光源６への通電のための接触がなく、そのため、羽根車１に設けた光源６を羽根車１の回転中に発光させることができ、しかも、光源６への給電を寿命長く行うことができる。
【００１７】
そして、羽根車１は電動によって安定良く回転するから、羽根車１に設けられている光源６を安定良く発光させることができ、羽根車１を光触媒物質５で効果的に防汚することができる。
【００１８】
また、光源６…は、光触媒物質５の設けられた羽根車１に設けられていて、光触媒物質５も光源６…も羽根車１と一体回転するようになされているから、少ない光量で光源６…からの光を光触媒物質５に効果的に当てることができ、光触媒物質による防汚作用を効果的なものにすることができる。更に、ファンの駆動と光源６の点灯とを連動させる電気的な切り換え機構を備えさせなくとも、ファンを駆動すると光源６が点灯し、光触媒作用が簡素な機構で適時に行われる。また、光源６…は、羽根車１の回転中心側に備えられているので、汚れで隠れてしまうというようなこともない。
【００１９】
以上に、本発明の実施形態を示したが、本発明はこれに限られるものではなく、発明思想を逸脱しない範囲で各種の変更が可能である。例えば、上記の実施形態では、光源６…を羽根車１の回転中心側に設けた場合を示しているが、羽根の先端側に備えさせてもよいし、回転中心側から羽根の先端側に向けて分散状態に備えさせてもよいし、羽根の両面に備えさせてもいし、いずれか一方の片面側に備えさせてもよいし、羽根や芯体部に埋込み状態に備えさせてもよいし、要は、羽根車に設けた光触媒物質に羽根車の防汚作用を行わせることのできる部位に備えられていればよい。また、羽根車やその羽根は透光性を有しない材料で構成されていてもよい。更に、本発明の電動送風ファン装置は、調理場の換気扇に限らず、種々の電動送風ファン装置に広く適用することができるものであることはいうまでもない。また、羽根車に設けられた光源への給電のための給電機構を任意採用の構成要件とし、羽根車の羽根に光触媒物質が設けられると共に、羽根車に光源が設けられ、該光源の発光によって羽根が光媒物質で防汚されるようになされている電動送風ファン装置も本願が開示する発明の一つである。また、本発明の給電機構は風力発電用の風車などに用いられてもよい。
【００２０】
【発明の効果】
本発明は、以上のとおりのものであるから、回転体に設けた光源を回転体の回転中に発光させることができ、しかも、光源への給電を寿命長く行うことができる。
【図面の簡単な説明】
【図１】実施形態を示すもので、図（イ）はファン装置の正面図、図（ロ）は同一部断面側面図である。
【図２】給電機構部分を拡大して示す一部断面側面図である。
【符号の説明】
１…羽根車（回転体）
４…羽根
５…光触媒物質
６…光源
７…磁石
９…コイル
【図１】
2004215342.tif 000003
【図２】
2004215342.tif 000004